【手続補正書】
【提出日】平成22年12月16日(2010.12.16)
【手続補正１】
【補正対象書類名】特許請求の範囲
【補正対象項目名】全文
【補正方法】変更
【補正の内容】
【特許請求の範囲】
【請求項１】
物理的ネットワークシステムトポロジ、ネットワークシステム装置能力及び論理ネットワークシステム構造を表すドメイン固有システム記述に基づいて統一的なフレームワークを確立するステップ；並びに
前記統一的なフレームワークに従ってネットワークシステム構築プロセス及びソフトウェアシステム配備プロセスの少なくとも一を効率化するステップ；
を有する方法。
【請求項２】
請求項１に記載の方法であって：
ネットワークシステムに基づく技術を増強するようにブロードキャスト装置環境において前記統一的なフレームワークを確立するステップ；
を更に有する、方法。
【請求項３】
請求項１に記載の方法であって：
複数の装置モデルインタフェースの少なくとも２つのグループを有する少なくとも１つのサイトモデルを生成するステップであって、前記複数の装置モデルインタフェースはグループ化され、前記複数の装置モデルインタフェースに複数のアドレスを割り当てることにより専用使用方法に従って論理的に連携される、ステップ；
構築データベースに前記サイトモデルを記憶するステップ；及び
前記サイトモデルの選択時に、第１の複数のネットワーク装置を論理的に連携させるステップであって、各々のネットワーク装置は、前記装置モデルインタフェースの少なくとも２つのグループの専用使用方法に対応する少なくとも２つの専用ネットワークを自動的に形成するように前記サイトモデルに従って複数のネットワークインタフェースに複数のアドレスを割り当てることにより、専用使用方法を有する前記複数のネットワークインタフェースを有する、ステップ；
を更に有する、方法。
【請求項４】
請求項３に記載の方法であって：
前記装置モデルインタフェースの少なくとも２つのグループを異なる専用使用方法に対応させるステップ；
を更に有する、方法。
【請求項５】
請求項４に記載の方法であって：
前記サイトモデルに従って前記複数のネットワークインタフェースに複数のアドレスを割り当てることによって、少なくとも１つの専用ネットワークにリンクさせることにより前記第１の複数のネットワーク装置を論理的に連携させるステップ；
を更に有する、方法。
【請求項６】
請求項５に記載の方法であって：
閉じた専用ネットワークを他のネットワークに接続する経路が存在しないように、前記閉じた専用ネットワークを用いるステップ；
を更に有する、方法。
【請求項７】
請求項５に記載の方法であって：
前記第１の複数のネットワーク装置に複数の冗長接続を含めるステップ；
を更に有する、方法。
【請求項８】
請求項４に記載の方法であって：
少なくとも２つの異なるグループにある少なくとも２つのネットワークインタフェースを有する単独のネットワーク装置を有するステップ；
を更に有する、方法。
【請求項９】
請求項４に記載の方法であって：
第２の複数のネットワーク装置を論理的に連携させるステップであって、各々の装置は、前記サイトモデルに従って複数のネットワークインタフェースに複数のアドレスを割り当てることにより、専用使用方法を有する前記複数のネットワークインタフェースを有する、ステップ；
を更に有する、方法。
【請求項１０】
請求項４に記載の方法であって：
システム記述、ネットワークトポロジ記述、及び複数の異なるソフトウェアサブシステムを有するシステムソフトウェアパッケージを有する構築レポジトリを提供するステップ；
前記システム記述及び前記ネットワークトポロジ記述に従って前記第１の複数のネットワーク装置に複数のソフトウェアサブシステムをインストールするステップ；並びに
複数の構築プラグインを用いることにより前記第１の複数のネットワーク装置を構築するステップ；
を更に有する、方法。
【請求項１１】
複数の特定のネットワーク使用方法に専用化された複数のネットワークインタフェースを有する複数のネットワーク装置の構築で用いる構築データベースであって：
該構築データベースは、コンピュータにおいて実行されるときに、コンピュータが、複数のモデルインタフェースの少なくとも２つのグループを有する少なくとも１つのサイトモデルを提供するようにするコンピュータ読み取り可能プログラム及びコンピュータ読み取り可能媒体を有し；
複数の装置モデルインタフェースは、前記複数の装置モデルインタフェースに複数のアドレスを割り当てることにより専用使用方法に従ってグループ化されて、論理的に連携され；
前記アドレスの割り当ては、少なくとも２つの専用使用方法に対応する少なくとも２つの専用ネットワークのモデルを形成する；
構築データベース。
【請求項１２】
請求項９に記載の構築データベースであって：
前記少なくとも２つのグループは異なる専用使用方法に対応する；
構築データベース。
【請求項１３】
請求項１０に記載の構築データベースであって：
単独のネットワーク装置は、少なくとも２つの異なるグループに含まれる少なくとも２つのネットワークインタフェースを有する；
構築データベース。
【請求項１４】
特定のネットワーク使用方法に専用化された複数のネットワークインタフェースを有する複数のネットワーク化された装置を構築するシステムであって：
構築データベースであって、
複数の装置モデルインタフェースの少なくとも２つのグループを有する少なくとも１つのサイトモデルであって、前記複数の装置モデルインタフェースはグループ化され、前記複数の装置モデルインタフェースに複数のアドレスを割り当てることにより専用使用方法に従って論理的に連携される、少なくとも１つのサイトモデルと、
前記少なくとも１つのサイトモデルの選択時に、第１の複数のネットワーク装置を論理的に連携させるように構築される制御ユニットであって、各々のネットワーク装置は、前記少なくとも２つのグループの専用使用方法に対応する少なくとも２つの専用ネットワークを自動的に形成するように、前記少なくとも１つのサイトモデルに従って前記複数のネットワークインタフェースに複数のアドレスを割り当てることにより、専用使用方法を有する前記複数のネットワークインタフェースを有する、制御ユニットと、
を有する、構築データベース；
を有する、システム。
【請求項１５】
請求項１４に記載のシステムであって、前記少なくとも２つの装置モデルインタフェースのグループは異なる専用使用方法に対応する、システム。
【請求項１６】
請求項１５に記載のシステムであって、前記制御ユニットは、前記サイトモデルに従って前記複数のネットワークインタフェースに複数のアドレスを割り当てることにより、少なくとも１つの専用ネットワークに前記第１の複数のネットワーク装置をリンクさせる、システム。
【請求項１７】
請求項１６に記載のシステムであって、前記第１の複数のネットワーク装置は複数の冗長接続を有する、システム。
【請求項１８】
請求項１６に記載のシステムであって、前記専用ネットワークは、前記専用ネットワークが他のネットワークに接続する経路が存在しないことで、閉じている、システム。
【請求項１９】
請求項１７に記載のシステムであって、前記制御ユニットは、前記専用ネットワークとは別個の制御ネットワークにおいてコマンドを発することにより、前記第１の複数のネットワーク装置と論理的に連携する、システム。
【請求項２０】
請求項１５に記載のシステムであって、単独のネットワーク装置は、少なくとも２つの異なるグループに含まれる少なくとも２つのネットワークインタフェースを有する、システム。
【請求項２１】
請求項１５に記載のシステムであって、前記制御ユニットは、第２の複数のネットワーク装置を論理的に連携させ、各々の装置は、前記サイトモデルに従って前記複数のネットワークインタフェースに複数のアドレスを割り当てることにより、専用使用方法を有する前記複数のネットワークインタフェースを有し、前記サイトモデルの装置モデルが再使用される、システム。
【請求項２２】
請求項１５に記載のシステムであって、制御ユニットは：
システム記述、ネットワークトポロジ記述、及び複数の異なるソフトウェアサブシステムを有するシステムソフトウェアパッケージを有する構築レポジトリを提供し；
前記システム記述及び前記ネットワークトポロジ記述に従って前記第１の複数のネットワーク装置において複数のソフトウェアサブシステムをインストールし；
複数の構築プラグインを用いることにより前記第１の複数のネットワーク装置を構築する；
システム。